(57)【特許請求の範囲】
【請求項１】
モータからの回転運動をハンガーの水平直線運動に変換する動力変換部により、収容された衣類に振動を加える前記ハンガーを備えた第１衣類処理装置及び第２衣類処理装置を含む多重衣類処理システムの駆動方法において、
前記第１衣類処理装置の第１ハンガーと前記第２衣類処理装置の第２ハンガーが同時に駆動され、前記第１ハンガーと第２ハンガーの振動周波数が同一である場合、前記第２ハンガーの振動位相が第１ハンガーの振動位相と逆位相となるように制御する逆位相制御ステップを含む、多重衣類処理システムの駆動方法。
【請求項２】
前記逆位相制御ステップは、前記第２ハンガーの振動位相が前記第１ハンガーの振動位相と逆位相となるまで前記第２ハンガーの動作を遅延させることを特徴とする、請求項１に記載の多重衣類処理システムの駆動方法。
【請求項３】
前記逆位相制御ステップは、
前記第２ハンガーの振動周波数を変化させる周波数変換ステップと、
前記第１ハンガーと第２ハンガーの周波数を一致させる周波数同期化ステップと、を含むことを特徴とする、請求項１に記載の多重衣類処理システムの駆動方法。
【請求項４】
前記周波数変換ステップは、前記第１ハンガーと第２ハンガーの振動周期が同時に終了する時点において行われることを特徴とする、請求項３に記載の多重衣類処理システムの駆動方法。
【請求項５】
前記周波数変換ステップにおいて、前記第２ハンガーの振動周波数は、前記第１ハンガーの振動周波数の（２ｎ＋１）／２（ｎは０または自然数）であることを特徴とする、請求項４に記載の多重衣類処理システムの駆動方法。
【請求項６】
前記周波数同期化ステップは、前記第１ハンガーと第２ハンガーの位相が互いに反対であり、振動周期が同時に終了する時点において行われることを特徴とする、請求項３に記載の多重衣類処理システムの駆動方法。
【請求項７】
前記第１ハンガーの振幅と前記第２ハンガーの振幅とを一致させる振幅同期化ステップをさらに含むことを特徴とする、請求項１に記載の多重衣類処理システムの駆動方法。
【請求項８】
前記第１ハンガーと前記第２ハンガーの振動周波数が同一でない場合、前記第２ハンガーの振動位相が前記第１ハンガーの振動位相と同位相とならないように前記第２ハンガーを制御する同位相防止制御ステップをさらに含むことを特徴とする、請求項１に記載の多重衣類処理システムの駆動方法。
【請求項９】
前記同位相防止制御ステップは、前記第１ハンガー及び第２ハンガーのうち少なくとも一つの振動周波数を変化させて、第１ハンガー及び第２ハンガーの振動周波数を一致させる周波数同期化ステップを含むことを特徴とする、請求項８に記載の多重衣類処理システムの駆動方法。
【請求項１０】
前記周波数同期化ステップは、前記第１ハンガーと第２ハンガーの振動周期が同時に終了する時点において行われることを特徴とする、請求項９に記載の多重衣類処理システムの駆動方法。
【請求項１１】
前記周波数同期化ステップが行われる時点において前記第１ハンガーと第２ハンガーの位相が同一である場合、前記第２ハンガーの振動を（２ｎ＋１）／２（ｎは０または自然数）周期の間、停止する遅延ステップをさらに含むことを特徴とする、請求項１０に記載の多重衣類処理システムの駆動方法。
【請求項１２】
前記第１ハンガーの振幅と前記第２ハンガーの振幅とを一致させる振幅同期化ステップをさらに含むことを特徴とする、請求項８に記載の多重衣類処理システムの駆動方法。
【請求項１３】
前記各ハンガーの振動周波数は、ハンガーの動きを感知するホールセンサを用いて測定することを特徴とする、請求項１に記載の多重衣類処理システムの駆動方法。
【発明の詳細な説明】
【技術分野】
【０００１】
本発明は、多重衣類処理システムのハンガーが同時に振動する時、振動が増幅されることを防止するための多重衣類処理システムの駆動方法に関する。
【背景技術】
【０００２】
衣類処理装置は、キャビネットの内部に備えられた収納室内に収納される衣類に水分または熱風などを供給して処理する装置をいう。収納された衣類の処理とは、衣類に水分または熱風（単純な送風を含む）を供給し、衣類に残留する臭い、シワまたは湿気などを除去して、衣類を着用する使用者に満足感を与えることができる一連の段階を言う。
【０００３】
例えば、１回以上同じ衣類を着用すれば、衣類には臭い、シワまたは湿気などが残留することになり、衣類に残留する臭いなどは、同じ服を再び着用しようとする使用者に不快感を与える。これを除去するためには衣類を洗濯することができるが、頻繁な衣類の洗濯は衣類の寿命を短縮させ、衣類の維持及び管理に必要なコストを上昇させるという問題点がある。
【０００４】
また、洗濯後、乾燥が完了した服でもシワが残留する場合があり、そのような衣類を直ちに着用できず、使用者は別途の面倒なアイロンがけなどを行わなければならない。
【０００５】
このような問題点を解決するために、衣類に残留する臭い、シワまたは湿気などを除去する衣類処理装置を使用することができる。衣類処理装置は、収納された衣類の臭い、シワまたは湿気などを除去するために、衣類にスチームを噴射し、噴射されたスチームにより湿気が含まれていた衣類を乾燥させるために送風（熱風を含む）することができる。
【０００６】
衣類を風又は熱風に露出させるだけでも臭い、シワまたは湿気などを除去する効果があり得るが、その効果を極大化させるために、収納された衣類に水分を供給できる。
【０００７】
衣類処理装置に収納された衣類にスチームを噴射すると、微細な水粒子が繊維組織の深いところに残留する臭い粒子と結合し、臭い粒子と結合した水粒子は乾燥工程で衣類から分離されて排出される。このような方式で衣類に残留する臭いを除去する。
【０００８】
そして、衣類処理装置において、収納された衣類に供給される水分の形態としてスチームを使用すると、衣類に残留するシワなどを緩和する効果がある。供給されたスチームによって濡れた衣類は、乾燥工程でシワが緩和または除去されることができる。
【０００９】
このような工程を通じて、衣類に残留する臭い、シワまたは湿気などを除去でき、衣類の使用者はより快適な状態で衣類を着用できる。
【００１０】
このような衣類処理装置は、モータにより回転するドラムを備えたドラム型衣類処理装置とキャビネット方式の衣類処理装置とがある。衣類処理装置がキャビネット方式で提供される場合、キャビネットの一側に備えられたドアによって選択的に開放または遮蔽され得る衣類の収容空間と、各種機械部品が実装された機械室とがキャビネットの内部に提供される形態であってもよい。
【００１１】
特に、洗濯を前提とせずに簡単に衣類を処理するために、キャビネット形態の衣類処理装置が使われることができる。この場合、衣類が収容される収容空間に衣類を収納する方法は、衣服ハンガーに衣類を掛けた後、これをその内部に備えられたハンガーなどに掛ける方法で多量の服を同時に装着することができる。
【００１２】
特に、ハンガーとして、衣類のシワが伸びる効果を高め、スチームの供給及び熱風の供給時に、繊維によく染み込むことができるように振動を加えるムービングハンガーを利用できる。
【００１３】
最近では、一つの衣類処理装置だけではその容量が十分でないため、複数個の衣類処理装置に対する需要の増大によって、複数の衣類処理装置で構成された多重衣類処理システムが登場した。
【００１４】
ただし、多重衣類処理システムのムービングハンガーが同時に振動する場合、振動が増幅されて騒音が増大し、衣類処理装置の耐久性にも影響を及ぼして故障の頻度が高まるという問題がある。
【発明の概要】
【発明が解決しようとする課題】
【００１５】
本発明は、多重衣類処理システムの複数個のハンガーが同時に振動する場合、振動が重畳されて増幅されることを防止するための多重衣類処理システムの駆動方法を提供することを目的とする。
【課題を解決するための手段】
【００１６】
本発明は、上記のような目的を達成するために、収容された衣類に振動を加えるハンガーを備えた第１衣類処理装置及び第２衣類処理装置を含む多重衣類処理システムの駆動方法において、前記第１衣類処理装置の第１ハンガーと前記第２衣類処理装置の第２ハンガーが同時に駆動され、前記第１ハンガーと第２ハンガーの振動周波数が同一である場合、前記第２ハンガーの振動位相が第１ハンガーの振動位相と逆位相となるように制御する逆位相制御ステップを含む多重衣類処理システムの駆動方法を提供する。
【００１７】
ここで、前記逆位相制御ステップは、前記第２ハンガーの振動位相が前記第１ハンガーの振動位相と逆位相となるまで前記第２ハンガーの動作を遅延させることができる。
【００１８】
一方、前記逆位相制御ステップは、前記第２ハンガーの振動周波数を変化させる周波数変換ステップと、前記第１ハンガーと第２ハンガーの周波数を一致させる周波数同期化ステップとを含むことができる。
【００１９】
前記周波数変換ステップは、前記第１ハンガーと第２ハンガーの振動周期が同一に終了する時点において行われることができる。
【００２０】
前記周波数変換ステップにおいて前記第２ハンガーの振動周波数は、前記第１ハンガーの振動周波数の（２ｎ＋１）／２（ｎは０または自然数）であってもよい。
【００２１】
前記周波数同期化ステップは、前記第１ハンガーと第２ハンガーの位相が互いに反対であり、振動周期が同一に終了する時点において行われることができる。
【００２２】
前記第１ハンガーの振幅と前記第２ハンガーの振幅とを一致させる振幅同期化ステップをさらに含むことができる。
【００２３】
前記第１ハンガーと前記第２ハンガーの振動周波数が同一でない場合、前記第２ハンガーの振動位相が前記第１ハンガーの振動位相と同位相とならないように前記第２ハンガーを制御する同位相防止制御ステップをさらに含むことができる。
【００２４】
また、前記同位相防止制御ステップは、前記第１ハンガー及び第２ハンガーのうち少なくとも一つの振動周波数を変化させて、第１ハンガー及び第２ハンガーの振動周波数を一致させる周波数同期化ステップを含むことができる。
【００２５】
前記周波数同期化ステップは、前記第１ハンガーと第２ハンガーの振動周期が同一に終了する時点において行われることができる。
【００２６】
前記周波数同期化ステップが行われる時点において前記第１ハンガーと第２ハンガーの位相が同一である場合、前記第２ハンガーの振動を（２ｎ＋１）／２（ｎは０または自然数）周期の間、停止する遅延ステップをさらに含むことができる。
【００２７】
前記第１ハンガーの振幅と前記第２ハンガーの振幅とを一致させる振幅同期化ステップをさらに含むことができる。
【００２８】
前記各ハンガーの振動周波数は、ハンガーの動きを感知するホールセンサを用いて測定できる。
【００２９】
また、本発明は、収容された衣類に振動を加える第１ハンガーを備えた第１衣類処理装置と、収容された衣類に振動を加える第２ハンガーを備えた第２衣類処理装置と、前記第１ハンガーと前記第２ハンガーが同時に駆動され、前記第１ハンガーと第２ハンガーの振動周波数が同一である場合、前記第２ハンガーの振動位相が第１ハンガーの振動位相と逆位相となるように制御する制御部と、を含む多重衣類処理システムを提供する。
【００３０】
前記制御部は、前記第２ハンガーの振動位相が前記第１ハンガーの振動位相と逆位相となるまで前記第２ハンガーの動作を遅延させることができる。
【００３１】
前記制御部は、前記第２ハンガーの振動周波数を変換させて、第１ハンガーと第２ハンガーの振動周波数が互いに異なるように制御した後、前記第１ハンガーと第２ハンガーの位相が互いに反対であり、振動周期が同一に終了する時点において前記第１ハンガーと第２ハンガーの振動周波数を一致させることができる。
【００３２】
前記制御部は、前記第２ハンガーの振動周波数を前記第１ハンガーの振動周波数の（２ｎ＋１）／２（ｎは０または自然数）に変換させることができる。
【００３３】
前記制御部は、前記第１ハンガーの振幅と前記第２ハンガーの振幅とを一致させるように制御することができる。
【００３４】
前記制御部は、前記第１ハンガーと前記第２ハンガーの振動周波数が同一でない場合、前記第１ハンガー及び第２ハンガーのうち少なくとも一つの振動周波数を変化させて、第１ハンガー及び第２ハンガーの振動周波数を一致させることができる。
【００３５】
前記制御部は、前記第１ハンガーと第２ハンガーの振動周期が同一に終了する時点において前記第１ハンガー及び第２ハンガーの振動周波数を一致させることができる。
【００３６】
前記制御部は、前記第１ハンガーと第２ハンガーの振動周期が同一に終了する時点において第１ハンガーと第２ハンガーの位相が同一である場合、第２ハンガーの振動を、（２ｎ＋１）／２（ｎは０または自然数）周期の間、遅延させることができる。
【００３７】
前記第１ハンガーと第２ハンガーの動きを感知するホールセンサをさらに含むことができる。
【発明の効果】
【００３８】
多重衣類処理システムの複数個のハンガーが同時に振動する時に発生する騷音を最小化することができ、振動が大きくなることによる多重衣類処理システムの故障発生を防ぐことができ、多重衣類処理システムの寿命が短縮されることを防止できる。
【図面の簡単な説明】
【００３９】
【図１】多重衣類処理システムを示す斜視図である。
【図２】本発明の多重衣類処理システムのムービングハンガーを示す斜視図である。
【図３】本発明の多重衣類処理システムを示す分解斜視図である。
【図４】本発明の多重衣類処理システムの機械室の内部構成を示す概略図である。
【図５】多重衣類処理システムの振動態様を示す斜視図である。
【図６】多重衣類処理システムの振動を示すグラフである。
【図７】多重衣類処理システムの振動を示すグラフである。
【図８】本発明の多重衣類処理システムの駆動方法を示すフローチャートである。
【図９】本発明の多重衣類処理システムの駆動方法の第１実施例に係る多重衣類処理システムの振動を示すグラフである。
【図１０】本発明の多重衣類処理システムの駆動方法の第１実施例に係る多重衣類処理システムの振動を示すグラフである。
【図１１】本発明の多重衣類処理システムの駆動方法の第２実施例に係る多重衣類処理システムの振動を示すグラフである。
【図１２】本発明の多重衣類処理システムの駆動方法の第３実施例に係る多重衣類処理システムの振動を示すグラフである。
【図１３】本発明の多重衣類処理システムの駆動方法の第４実施例に係る多重衣類処理システムの振動を示すグラフである。
【発明を実施するための形態】
【００４０】
以下、本発明の一実施例に係る乾燥兼用洗濯装置の乾燥サイクルの制御方法及びこれに用いられる乾燥兼用洗濯装置について詳細に説明する。本発明の説明において、定義される各構成要素の名称は本発明での機能を考慮して定義されたものである。
【００４１】
したがって、本発明の技術的構成要素を限定する意味で理解されてはならない。また、各構成要素に定義されたそれぞれの名称は当該業界において他の名称として呼ばれることもある。
【００４２】
図１は、多重衣類処理システムを示す斜視図である。多重衣類処理システムは、複数個のキャビネットタイプの衣類処理装置１０，２０を連続的に連結して、処理できる衣類の量を増加させたことが特徴である。本発明の多重衣類処理システムは、第１衣類処理装置１０と第２衣類処理装置２０を含む。
【００４３】
衣類処理装置１０，２０は、外観を形成するキャビネット１１，２１と、キャビネット１１，２１の内部に衣類を収容できる処理室１２，２２とを備える。また、処理室１２，２２を外部と隔離したり、または開放したりすることができるようにキャビネット１１，２１の前面に設置されたドア１３，２３と、処理室１２，２２の一側に設置され、衣類が掛けられるハンガー１５，２５とを含む。本発明に係る衣類処理装置１０，２０は、底面に衣類を置くのではなく、上部又は側部に衣類を掛けることができることを特徴とする。
【００４４】
処理室１２，２２は、収容された衣類に熱風やスチームを加えて衣類の物理的または化学的性質が変わるように処理する空間である。すなわち、熱風を加えて衣類を乾燥させたり、スチームを用いて衣類に生じたシワを伸ばしたりすることができる。また、芳香剤を噴射して衣類から香りがするように処理したり、静電気防止剤を噴射して衣類で静電気が起こることを防止したりするなどの多様な方法で衣類処理が行われる空間である。
【００４５】
ハンガー１５，２５は、服を掛ける衣服ハンガー１８、２８を掛けられることができるように一般的に棒状に構成されるが、これに限定されない。本発明のハンガー１５，２５は、衣類処理の効果を高めるために振動が加えられる。処理室１２，２２の一側に位置する駆動部は、モータの回転力をプーリなどを用いて一軸方向または２以上の軸方向に揺れる振動運動に変換する。ハンガー１５，２５の振動運動は、衣類のシワを伸ばす効果を増大させ、スチームと熱風が衣類にさらによく染み込むように助ける。
【００４６】
振動を加えることができるハンガー１５，２５の構造をより具体的に説明する。図２及び図３は、振動を加えることができるムービングハンガー５０の構造を示すものであって、図１の第１ハンガー１５と第２ハンガー２５の両方に適用可能な振動ハンガー５０である。
【００４７】
図２は、ムービングハンガー５０の構成を示す斜視図で、図３は、ムービングハンガー５０の分解斜視図である。
【００４８】
図２及び図３を参照すると、ムービングハンガー５０は、衣服ハンガー２００に掛けられた衣類を支持するためのハンガーバー２５０と、ハンガーバー２５０の両端を支持する支持部２８０とを含む。ハンガーバー２５０には、衣服ハンガー２００が掛けられる場合に位置を固定する溝２５１が多数備えられる。支持部２８０は、ムービングハンガーフレーム２１３に連結されて支持され、ムービングハンガーフレーム２１３は、キャビネット１１，２１の内部の天井の上側に備えられ、外部から見えないように備えられる。ハンガーバー２５０の両端部には支持部リブ２５４を備え、支持部リブ２５４が支持部２８０の端部を覆いながら連結される。
【００４９】
したがって、本発明による衣類処理装置は、収納される衣類が衣服ハンガーに掛けられた状態であるので、リフレッシュは勿論であり、衣類の乾燥効率においても従来の衣類処理装置に比べて格段に優れた効果を期待できる。
【００５０】
一方、ムービングハンガー５０は、モータ２３０と、モータ２３０から提供される回転運動をハンガーバー２５０の水平方向の直線運動に変換するための動力変換部２６０と、モータ２３０から提供される動力を動力変換部２６０に伝達する動力伝達部２４０と、を含む。
【００５１】
動力伝達部２４０は、モータ２３０に備えられる主動プーリ２４１と、主動プーリ２４１とベルト２４３で連結される従動プーリ２４２と、従動プーリ２４２の中心に結合する回転軸２４４と、を含むように備えられることができる。回転軸２４４は、ムービングハンガーフレーム２１３に備えられるベアリングハウジング２７０の内部に回転可能に備えられる。
【００５２】
ハンガーバー２５０は、その長手方向と直交するスロット２５２をさらに含むように備えられることが好ましい。具体的に、ハンガーバー２５０の上部にスロットハウジング２５３を備え、スロットハウジング２５３の略中央部にスロット２５２を備える。また、動力変換部２６０は、スロット２５２に挿入されるスロット挿入部２６３、回転軸２４４に結合する軸結合部２６１、及びスロット挿入部２６３と軸結合部２６１とを連結させる回転アーム２６２を含むように備えられることができる。動力変換部２６０は、外部から見えないようにカバー２１４により覆われ、カバー２１４は、ムービングハンガーフレーム２１３とスロットハウジング２５３との間に備えられる。
【００５３】
上記のような構成において、モータ２３０が回転すると従動プーリ２４２が回転するようになるので、従動プーリ２４２に結合された回転軸２４４も回転し、スロット挿入部２６３は、所定の直径を有する円運動をする。
【００５４】
一方、ハンガーバー２５０に備えられたスロット２５２は、ハンガーバー２５０の長手方向と直交するように備えられ、さらに、その長さがスロット挿入部２６３の回転軌跡の直径よりも長いように備えられる。よって、スロット２５２は、スロット挿入部２６３が円運動をしても、水平方向に直線運動をする。したがって、スロット２５２に結合されたハンガーバー２５０は水平方向に直線運動をする。
【００５５】
一方、処理室１２，２２内へ熱風及びスチームのうち少なくとも一つを供給するための空気供給装置４０または水分発生装置３０を備えた機械室２６が処理室２２の一側に備えられる。図１では、機械室２６は第２衣類処理装置２０にのみ備えられたものを示しているが、これに限定されず、第１衣類処理装置１０にのみ備えられたり、または第１衣類処理装置１０と第２衣類処理装置２０の両方に備えられたりしてもよい。一方の衣類処理装置２０にのみ機械室２６が備えられた場合には、他方の衣類処理装置にダクトなどを通じてスチーム及び熱風を供給するように連結される。
【００５６】
機械室２６は、好ましくは、処理室２２の下に位置し、内部に空気供給装置４０及び水分発生装置３０などが位置する。このように、機械室２６が処理室２２の下方に位置する理由は、処理室２２に供給される熱風及びスチームなどは上昇しようとする性質を有するので、機械室２６が下部に位置し、上部に向かって熱風及びスチームを供給することが好ましいためである。
【００５７】
図４は、機械室２６の内部の構成を概略的に示す斜視図である。機械室２６の内部構成を示すために、便宜上、図４においてキャビネット２１は、その骨格を形成するフレーム２１’のみを示した。また、図４では、説明の便宜のために、空気供給装置４０、水分発生装置３０を含んだ主要構成要素のみを示し、主要構成要素を連結する配管ラインは示していない。
【００５８】
図４を参照すると、機械室２６の内部には、処理室１２，２２に空気または熱風を供給する空気供給装置４０が位置する。
【００５９】
本発明の空気供給装置に該当するヒートポンプ４２は、冷媒が循環する蒸発器４４、圧縮機４６、凝縮器４８及び膨張弁（図示せず）を備え、これによって空気を除湿して加熱するようになる。
【００６０】
すなわち、蒸発器４４で冷媒が蒸発しながら周辺空気の潜熱を吸収することによって、空気を冷却させて空気中の水分を凝縮させて除去するようになる。また、圧縮機４６を経て凝縮器４８で冷媒が凝縮される場合に周辺空気に向かって潜熱を放出することによって、周辺空気を加熱するようになる。したがって、蒸発器４４と凝縮器４８が熱交換器の機能をすることになり、機械室２６に流入した空気は、蒸発器４４と凝縮器４８を経て除湿及び加熱されて処理室１２，２２に供給される。
【００６１】
このように、ヒートポンプ４２により加熱された空気は、従来の電気式ヒータなどを使用して加熱された空気に比べて、温度は多少低いことがあるが、別途の除湿装置を使用せずに空気を除湿できるようになる。したがって、ヒートポンプ４２により処理室１２，２２へ再び供給される空気は、相対的に「低温乾燥空気」に該当する（ここで、「低温」とは、絶対的に温度が低いことを意味するのではなく、加熱された空気に該当するが、従来の加熱空気に比べて相対的に温度が低いという意味として使われる）。
【００６２】
本発明の一実施例に係る衣類処理装置は、低温乾燥空気を供給することによって、衣類のリフレッシュまたは乾燥を行う場合に、高温により衣類に変形又は損傷などが生じることを防止できる。結局、本発明の一実施例に係る衣類処理装置においてヒートポンプ４２により供給される空気は、従来の衣類処理装置の熱風に比べて温度は低いが、別途の除湿装置なしに除湿された空気を供給することになるので、衣類を容易に乾燥させてリフレッシュすることが可能になる。
【００６３】
具体的に、機械室２６の前端の上部には、処理室１２，２２の空気が機械室２６の内部へ流入する空気流入口４１Ａ（図４参照）が形成され、空気流入口４１Ａと蒸発器４４、凝縮器４８及びファンを連結する流入ダクト４９によって空気が流動する流路を形成するようになる。流入ダクト４９により空気流入口４１Ａを通じて機械室２６へ流入された空気は、ヒートポンプ４２を通過しながら除湿及び加熱され、ファンにより排出ダクト４３及び空気排出口４１Ｂを通じて再び処理室１２，２２に供給される。
【００６４】
ここで、図示してはいないが、空気流入口４１Ａには、好ましくは、フィルタが備えられることができる。空気流入口４１Ａにフィルタを備えることによって、処理室１２，２２から機械室２６へ流入される空気中に含まれ得る各種異物などをろ過して、新鮮な空気のみを処理室１２，２２へ供給することが可能になる。
【００６５】
一方、機械室２６には、処理室１２，２２に水分、ミストまたはスチーム（以下、「スチーム」という）を選択的に供給する水分発生装置３０を備える。
【００６６】
水分発生装置３０は、内部に水を加熱するヒータ（図示せず）を備え、水を加熱してスチームを生成して処理室１２，２２へ供給する。水分発生装置３０へ水を供給する水供給源としては、外部の蛇口などを使用したり、または機械室２６の一側に提供される水供給タンク（図示せず）を使用したりしてもよい。
【００６７】
また、水分発生装置３０で生成されたスチームは、スチームホース３６及びスチームノズル（図１及び図２参照）を通じて処理室１２，２２へ供給される。この場合、スチームホース３６に沿ってスチームが移動する途中にスチームの温度が下がったり、またはスチームが凝縮したりすることを防止するために、スチームホース３６の長さは短いほど好ましい。したがって、機械室２６が処理室１２，２２の下方に位置する場合に、スチームノズルは機械室２６の上部、すなわち、処理室１２，２２の下部を通じてスチームを供給することが好ましい。
【００６８】
また、機械室２６の背面部には循環ファン（図示せず）を備えることができる。循環ファンは、機械室２６の外部の空気を機械室２６の内部へ供給することによって、前述したヒートポンプ４２及び水分発生装置３０が駆動され、機械室２６の内部の温度が過度に上昇することを防止する。
【００６９】
多重衣類処理システムは、それぞれ独立した空間で衣類処理が行われるが、ハンガー１５，２５が振動する場合、図５に示されたように同時に振動が発生すると振動が増幅し得る。
【００７０】
図６を参照すると、第１衣類処理装置１０の振動態様と第２衣類処理装置２０の振動態様が示されている。それぞれ所定の振幅Ａ、Ｂを持って振動する。この振動の位相が同位相となって、図７に示されたように増幅されると、騷音が大きくなり、衣類処理装置に及ぼす衝撃が大きくなるため、衣類処理装置の故障を起こすことがある。
【００７１】
本発明は、このように同時に第１衣類処理装置１０と第２衣類処理装置２０が作動する場合、このような振動が増幅されることを防止するための多重衣類処理システムの制御方法に関する。
【００７２】
多重衣類処理システムは、第１ハンガーと第２ハンガーの振動を制御する制御部を含む。以下説明される多重衣類処理システムの制御方法において、第１ハンガーと第２ハンガーの振動周波数及び振幅の制御は、制御部により行われる。
【００７３】
図８を参照すると、本発明の多重衣類処理システムの駆動方法を示すフローチャートが示されている。
【００７４】
まず、第１衣類処理装置１０の第１ハンガー１５と第２衣類処理装置２０の第２ハンガー２５が同時に動作するか否かを判断する（Ｓ１００）。同時に作動する場合、すなわち、第１衣類処理装置１０の第１ハンガー１５と第２衣類処理装置２０の第２ハンガー２５とが同時に駆動される場合、各ハンガー１５，２５の振動周波数が同一であるか否かを判断する（Ｓ２００）。振動周波数は、ハンガーを駆動するモータ２３０の振動周波数及び周期と関連があり、振動周波数が同一であると振動周波数の周期が同一であるため振動が増幅し得る。ハンガーの振動周波数は、振動周波数及び周期と関連があり、同一の振動周波数で振動するハンガーは、周期及びモータの振動周波数が同一である。図６及び図７に示されたハンガー１５，２５の周期は２ｘとして同一であり、振動周波数も同一である。
【００７５】
第１衣類処理装置１０の第１ハンガー１５の振動と第２衣類処理装置２０の第２ハンガー２５の振動の位相が、図６及び図７に示されたように、振動方向が同一で、二つの振動が加わって振幅が増加する場合を同位相といい、逆に、周期は同一であるが振動方向が反対である場合を逆位相という。同位相である場合、振動の増幅の程度が激しくなり、騷音及び衣類処理装置１０，２０に加えられる衝撃が問題になる。逆に、逆位相である場合、振動が相殺されて振幅が小さくなるので、むしろ一つのハンガーが振動する時よりも、振動が相殺されて騷音が減ることができる。
【００７６】
したがって、第１ハンガー１５と第２ハンガー２５の振動周波数が同一である場合、第２ハンガー２５の振動位相が第１ハンガー１５の振動位相と逆位相となるように第２ハンガー２５の駆動を制御する逆位相制御を行う（Ｓ３００）。
【００７７】
逆位相制御は、多様な方法で行われることができ、図９乃至図１１は、振動周波数が同一である場合、すなわち、周期が同一である場合に多重衣類処理システムを制御する方法を示すグラフである。
【００７８】
図９及び図１１を参照すると、振動の初期には同位相であったが、逆位相となるように制御して、後半（Ｔ２又はＴ５地点の以後）には位相が互いに反対、すなわち、逆位相となる。特に、第１ハンガー１５と第２ハンガー２５の振幅が同一であるように制御（Ｔ３又はＴ５地点の以後）すると、全体の振動は完全に相殺される効果がある。
【００７９】
より具体的に説明すると、図９に示されたように、第２ハンガー２５の振動位相が第１ハンガー１５の振動位相と逆位相となるまで第２ハンガー２５の動作を遅延させて逆位相となるようにすることができる。すなわち、第２ハンガー２５を一定時間停止させた後、第１ハンガー１５と第２ハンガー２５の位相が反対になる時点で第２ハンガー２５の振動を再開することができる。
【００８０】
例えば、図９に示されたように、開始時に同位相であった場合、半周期ｘを遅延させればよい。図１０に示されたように、位相が同位相ではなく少しずれた場合、遅延時間がｗとして差があるだけで、図９のように逆位相となるまで第２ハンガー２５の動作を遅延させて逆位相となるようにする。
【００８１】
更に他の方法として、逆位相制御は、図１１に示されたように、第２ハンガー２５の振動周波数を一時的に変化させて、第１ハンガー１５の振動位相と逆位相となるように、第２ハンガー２５の駆動を制御する方式で行うことができる。このような逆位相制御は、第１ハンガー１５及び第２ハンガー２５のうち少なくとも一つの振動周波数を変化させる周波数変換ステップと、第１ハンガー１５と第２ハンガー２５の周波数を一致させる周波数同期化ステップと、を含むことができる。以下では、説明の便宜のために第２ハンガー２５の周波数を変換させることを例として説明するが、二つのハンガーの周波数を全て変換させることができるのは勿論である。
【００８２】
振動周波数を小さくすると周期が増えてしまい、図１１に示されたように、周期が２ｘから２ｙに増える。一定の周期が反復された後に、第１ハンガー１５と第２ハンガー２５の振動方向が互いに反対になる瞬間（Ｔ２又はＴ５地点）から再び振動周波数を同一にすると、逆位相状態で振動するようになるので、全体の振動が最小になるように制御することができる。
【００８３】
より具体的に、図１１を参照すると、周波数変換ステップが行われる時点は、第１ハンガー１５と第２ハンガー２５の振動周期が同一に終了する時点（図１１の開始時点）において行われることが好ましい。なお、周波数変換ステップが行われる時点において第１ハンガー１５と第２ハンガー２５の位相が互いに反対である場合には、第２ハンガー２５の振動周波数を第１ハンガー１５の振動周波数の（２ｎ＋１）／２に変換させることができる。また、周波数変換ステップが行われる時点において第１ハンガー１５と第２ハンガー２５の位相が互いに同一である場合には、第２ハンガー２５の振動周波数を第１ハンガー１５の振動周波数のｎに変換させることができる。ここで、ｎは、０または自然数を意味する。
【００８４】
周波数変換ステップの後には周波数同期化ステップが行われる。このとき、周波数同期化ステップは、第１ハンガー１５と第２ハンガー２５の位相が互いに反対であり、振動周期が同一に終了する時点（Ｔ５）において行われることが好ましい。すなわち、周波数変換ステップを経ると、一定時間が経過した後、第１ハンガーと第２ハンガーの振動周期が同一の時点（Ｔ５）で終了するようになる。このように、第１ハンガー１５と第２ハンガー２５の振動周期が同一に終了する時点において、第１ハンガー１５と第２ハンガー２５の位相が互いに反対になる時点で周波数同期化ステップが行われる。したがって、第１ハンガー１５と第２ハンガー２５は逆位相に制御されることができる。この方法も必ず最初に同位相でなくても適用可能である。一方、第１ハンガー１５と第２ハンガー２５の振幅が異なる場合、二つのハンガーの振幅を一致させる振幅同期化ステップがさらに行われることができる。振幅同期化ステップは、逆位相制御ステップの前又は後に行われることができ、好ましくは、逆位相制御ステップの後に行われることができる。
【００８５】
一方、第１ハンガー１５と第２ハンガー２５の振動周波数が同一でない場合、第２ハンガー２５の振動位相が第１ハンガー１５の振動位相と同位相とならないように第２ハンガー２５を制御することを特徴とする同位相防止ステップを行う（Ｓ４００）。
【００８６】
同位相防止制御ステップ４００は、第１ハンガー１５及び第２ハンガー２５のうち少なくとも一つの振動周波数を変化させて、第１ハンガー１５及び第２ハンガー２５の振動周波数を一致させる周波数同期化ステップを含むことができる。周波数同期化ステップは、第１ハンガーと第２ハンガーの振動周期が同一に終了する時点に行われることが好ましい。
【００８７】
図１２は、本発明の多重衣類処理システムの駆動方法の同位相防止ステップによる実施例を示したもので、初期には第１ハンガー１５と第２ハンガー２５の振動周波数が同一でないので同位相防止制御ステップ（Ｓ４００）が行われる。
【００８８】
本発明の一実施例による場合、同位相防止制御ステップ（Ｓ４００）は、周波数同期化ステップと第２ハンガーの振動を一定時間停止させる遅延ステップとを含むことができる。
【００８９】
周波数同期化ステップは、第１ハンガーと第２ハンガーの振動周期が同一に終了する時点において行われることが好ましい。
【００９０】
図１２のように、周波数同期化ステップが行われる時点Ｔ７で第１ハンガー１５と第２ハンガー２５の位相が互いに同一である場合に、遅延ステップにおいて第２ハンガーの振動は（２ｎ＋１）／２周期の間、停止することが好ましい。ここで、ｎは、０又は自然数を意味する。一方、周波数同期化ステップが行われる時点において第１ハンガーと第２ハンガーの位相が互いに反対である場合には、遅延ステップは省略できる。
【００９１】
図１２を参照すると、同位相制御ステップは、究極的に逆位相制御ステップと同じ結果を得るためのステップであって、まず、第２ハンガー２５の振動周波数を変化させて、第１ハンガー１５の振動周波数と一致させ（Ｔ７〜Ｔ８の区間）、第２ハンガー２５の振動位相が第１ハンガー１５の振動位相と逆位相となるように第２ハンガー２５の駆動を遅延させる（Ｔ８の以後）。図１２を参考すると、第２ハンガー２５の振動を半周期遅延させて逆位相となるように制御して、振動を相殺させる。
【００９２】
一方、図１３を参照すると、周波数同期化ステップが行われる時点（Ｔ９）で第１ハンガー１５と第２ハンガー２５の位相が互いに反対である。この場合、遅延ステップは省略できる。すなわち、第２ハンガー２５の振動が第１ハンガー１５の振動と反対方向に振動されるとき（Ｔ９）、第１ハンガーと第２ハンガーの振動周波数を同一にして、第１ハンガーの位相と第２ハンガーの位相が逆位相となるように制御できる。
【００９３】
同位相防止制御ステップ（Ｓ４００）も、第１ハンガー１５の振幅と第２ハンガー２５の振幅が異なると、振幅が同一になるように第２ハンガー２５を制御する振幅同期化ステップをさらに含むことで、振動相殺効果を高めることができる。
【００９４】
上記のような多重衣類処理システムの制御方法によれば、ハンガーが振動する時に発生する騷音を最小化することができ、振動が大きくなることによって多重衣類処理システムの寿命が短縮されることを防止することができる。
【符号の説明】
【００９５】
１０    第１衣類処理装置
２０    第２衣類処理装置
１１，２１    キャビネット
１２，２２    処理室
１３，２３    ドア
１５，２５    ハンガー
２６    機械室
１８，２８    衣服ハンガー
【図１】
0005486063.tif 000002
【図２】
0005486063.tif 000003
【図３】
0005486063.tif 000004
【図４】
0005486063.tif 000005
【図５】
0005486063.tif 000006
【図６】
0005486063.tif 000007
【図７】
0005486063.tif 000008
【図８】
0005486063.tif 000009
【図９】
0005486063.tif 000010
【図１０】
0005486063.tif 000011
【図１１】
0005486063.tif 000012
【図１２】
0005486063.tif 000013
【図１３】
0005486063.tif 000014